(57)【特許請求の範囲】
【請求項１】
用水路の両側壁間に互いに対向するように固定され、上流側の川底に対して鈍角に傾斜配置されたスクリーンガイドと、該スクリーンガイドに案内されて下部捕捉位置と上部取除位置との間で昇降し、ほぼ水位位置に広い間隔のスクリーンバーからなるオーバーフロースクリーンと該オーバーフロースクリーンから川底間に狭い間隔のスクリーンバーからなるスクリーン本体と該スクリーン本体の下端部に鈍角に取り付けられた抄網とを設けてなるスクリーンと、用水路の両側壁の上端縁に立設固定された巻上台の上方内部に軸受を設け、該軸受に前記巻上台同士を掛け渡すように両端に巻取ドラムを取り付けたシャフトが軸支され、該シャフトを回転させて巻取ドラムに巻回された巻上ワイヤーによりスクリーンを前記スクリーンガイドに沿って昇降させる昇降機構とを備え、さらに用水路に対して前記スクリーンの上流側に橋渡し状に塵集積板を設置したことを特徴とする水路用除塵機。
【発明の詳細な説明】
【技術分野】
【０００１】
本発明は、用水路の流水により流下した塵芥を取り除くために、用水路を横断して配置される水路用除塵機に関する。
【背景技術】
【０００２】
従来、河川や用水路等の水路により流下した塵芥、例えば木片、紙、プラスチック、刈取草、空容器等を取り除くために、水路を横断して配置される除塵装置が公知となっている（特許文献１を参照）。
この除塵装置は、水路の両側壁に互いに対向して上下に延びるように配置された幅方向一対のガイドレールと、これら一対のガイドレールに案内されて下部位置と上部位置との間で昇降可能に挟持された塵芥補足用のスクリーンと、このスクリーンを吊持部材を介して吊持して昇降させる昇降機構とを備えて構成され、上記ガイドレールは、上記スクリーンを、上部位置に位置した状態でガイドレールの延びる方向に沿った縦姿勢とこの縦姿勢から傾倒した横姿勢との間で姿勢変更させ得るように支持しているものである。
この除塵装置によれば、水路の両側壁間の下部位置に位置設定された縦姿勢のスクリーンは、それに所定量の塵埃が捕捉された状態で昇降機構により上部位置まで吊り上げることによりガイドレールに案内されつつ上昇し、上部位置に到達した時点で横姿勢に姿勢変更される。
そして、横姿勢に姿勢設定されたスクリーンから捕捉された塵埃を取り除く作業が行われ、塵埃を取り除いた後のスクリーンは、昇降機構の逆操作によってガイドレールに案内されつつ下降して水路の両側壁間の下部位置に位置設定される。
ところが、上記除塵装置は、スクリーンに捕捉された塵埃を縦姿勢から横姿勢に姿勢変更して取り除き作業を行うものであるため、装置が大掛かりとなると共に設備コストが高く付き、しかもスクリーンに捕捉された塵埃が姿勢変更の途中で脱落等の恐れがあった。
【０００３】
【特許文献１】特開平１１−２９３６５２号公報
【発明の開示】
【発明が解決しようとする課題】
【０００４】
そこで、本発明は、簡単な構造からなり、用水路の流水により流下した塵芥を取り除くために、用水路を横断して配置された水路用除塵機を提供するものである。
【課題を解決するための手段】
【０００５】
本発明の水路用除塵機は、用水路の両側壁間に互いに対向するように固定され、上流側の川底に対して鈍角に傾斜配置されたスクリーンガイドと、該スクリーンガイドに案内されて下部捕捉位置と上部取除位置との間で昇降し、ほぼ水位位置に広い間隔のスクリーンバーからなるオーバーフロースクリーンと該オーバーフロースクリーンから川底間に狭い間隔のスクリーンバーからなるスクリーン本体と該スクリーン本体の下端部に鈍角に取り付けられた抄網とを設けてなるスクリーンと、用水路の両側壁の上端縁に立設固定された巻上台の上方内部に軸受を設け、該軸受に前記巻上台同士を掛け渡すように両端に巻取ドラムを取り付けたシャフトが軸支され、該シャフトを回転させて巻取ドラムに巻回された巻上ワイヤーによりスクリーンを前記スクリーンガイドに沿って昇降させる昇降機構とを備え、さらに用水路に対して前記スクリーンの上流側に橋渡し状に塵集積板を設置したものである。
【発明の効果】
【０００６】
本発明の水路用除塵機によれば、簡単な構造で設備コストを安価に抑えることができ、しかもスクリーンに捕捉された塵芥の取り除きは流水の水圧の影響を受けず作業を容易にしかも安全に行うことができる利点がある。
【発明を実施するための最良の形態】
【０００７】
本発明の水路用除塵機は、用水路の両側壁間に互いに対向するように配置されて上流側の川底に対して鈍角に傾斜配置されたスクリーンガイドと、該スクリーンガイドに案内されて下部捕捉位置と上部取除位置との間で昇降し、多数並列のスクリーンバーからなるスクリーン本体と該スクリーン本体下端部に鈍角に抄網を設けてなるスクリーンと、該スクリーンを前記スクリーンガイドに沿って昇降させる昇降機構とを備え、さらに用水路に対してスクリーンの上流側に橋渡し状に塵集積板を設置したものである。
【実施例】
【０００８】
以下、本発明の一実施例を図面に基づいて説明すると、
本発明の水路用除塵機は、図１（ａ）に示すように、互いに対向するように傾斜配置されたスクリーンガイド１と、該スクリーンガイド１に案内されて下部位置と上部位置との間で昇降するスクリーン２と、該スクリーン２を前記スクリーンガイド１に沿って昇降させる昇降機構３とを基本構成とする。
前記スクリーンガイド１は、断面コ字状の長尺鋼材からなり、川底に対して傾斜配置する所定角度、すなわち鈍角となるように切除した下端を持ち、互いにコ字状の開口部を向き合う姿勢で用水路のコンクリート側壁に沿って固定される。
すなわち、前記スクリーンガイド１の傾斜角度は、スクリーンガイド１と上流側川底との角度が鈍角となるように適宜な勾配であればよく、スクリーン２で塵芥を捕捉した状態で塵芥が転落することなくスクリーン２を前記スクリーンガイド１に沿って引上げることができる角度であればよい。
【０００９】
前記スクリーン２は、長尺鋼材により形成された略矩形状のスクリーン枠組４と該スクリーン枠組４内に縦方向姿勢で所定間隔で並べられた短冊状のスクリーンバー５と、前記スクリーン枠組４の下端部に鈍角で取り付けられた丸鋼製の抄網６とから構成される。
前記スクリーン枠組４は、上部位置に広い間隔でスクリーンバー５を縦方向姿勢で並べたオーバーフロースクリーン７と、該オーバーフロースクリーン７の下部に狭い間隔でスクリーンバー５を縦方向姿勢で並べられたスクリーン本体８とからなる。
なお、前記スクリーンガイド１に案内される前記スクリーン枠組４の左右側枠には、下面に複数個のローラ（図示せず）と左右の横揺れ防止用ローラ（図示せず）を側面に複数個設けてスクリーン２昇降時の抵抗の軽減を図ることもできる。
また、前記オーバーフロースクリーン７は、スクリーン２を下部位置、すなわち捕捉位置に配置した時に、用水路上端から所定位置下がった高さ、ほぼ通常の水位位置より高く設け、前記スクリーン本体８は、オーバーフロースクリーン７から用水路の川底に至る高さに設ける。
前記抄網６は、丸鋼部材により格子状に形成し、上流側の流れに沿う縦格子の丸鋼の先端を突出させて上方に折り曲げて鉤状に形成する。
【００１０】
前記昇降機構３は、用水路のコンクリート側壁の上端縁に跨る逆Ｌ字状の巻上台プレート９と、該巻上台プレート９の水平上面に立設固定された細長角筒状の巻上台１０と、該巻上台１０の上方内部に巻取ドラム１１のシャフト１２の軸受（図示せず）を設けると共に、前記巻上台１０内部に設けた歯車減速機構（図示せず）を介して巻上台１０の側面に巻上ハンドル（図示せず）を設ける。
前記軸受（図示せず）には、両端に巻取ドラム１１を取り付けたシャフト１２が軸支され、前記巻上ハンドル（図示せず）を回転することにより、歯車減速機構を介して前記シャフト１２と前記巻取ドラム１１が同時回転される。
前記巻取ドラム１１には、前記スクリーン２のスクリーン枠組４の両先端に固定された巻上ワイヤー１３が巻回され、巻取ドラム１１が正回転されることにより巻上ワイヤー１３が巻込まれ、スクリーンガイド１に案内されながらスクリーン２が上昇する、また巻取ドラム１１が逆回転されることによりスクリーン２が下降する。
また、前記巻上台１０には、前記スクリーンガイド１を傾斜状態に支持固定するプレート状の支持部材１４を設ける。
そして、図１（ｂ）に示すように、さらに用水路に対してスクリーン２の上流側に橋渡し状に足場用アルミ製の剛性部材を多数並べてなる平板状の塵集積板１５を設置する。
【００１１】
次に、本発明の水路用除塵機の作用について、図面に基づいて以下に説明する。
図２に示すように、まず、用水路の水門がある個所のすぐ上流側のコンクリート側壁に巻上台プレート９の縦方向側をボルト等で固定して用水路の相対向する位置にそれぞれ巻上台１０を固定し、さらに巻取ドラム１１を取り付けたシャフト１２を前記巻上台１０，１０間に軸支する。
あらかじめ、スクリーンガイド１をコンクリート側壁に沿って上流側に向って下降傾斜する状態の鈍角になるように前記巻上台１０の支持部材１４に固定し、クレーン等を使用してスクリーン２をスクリーンガイド１に沿って挿入し、巻取ドラム１１の巻上ワイヤー１３先端をスクリーン枠組４の左右側枠に固定する。
そして、用水路に対して前記スクリーン２の上流側に橋渡し状に塵集積板１５を設置し、コンクリート側壁の上端面位置に掛け渡された塵集積板１５は前記スクリーン２を引上げた時にスクリーン２の抄網６の先端位置に前記塵集積板１５端部が位置するように設置しておく。
このようにして、スクリーンガイド１に沿ってスクリーン２が最下降した状態であれば用水路を流下する塵芥を捕捉することができる。
【００１２】
用水路を浮遊して又は水中を流下してきた塵芥は、スクリーン本体８により捕捉され堰き止められるし、川底を流下してきた空缶等は前記スクリーン本体８に堰き止められ、抄網６上に乗る。
図３に示すように、前記塵芥を取り除く時は、巻上ハンドル（図示せず）を正回転してシャフト１２に固定された２個の巻取ドラム１１を正回転して同時に両側の巻上ワイヤー１３を巻取り、両側のスクリーンガイド１に沿ってスクリーン２を上昇させる。
前記塵芥はスクリーン本体８に乗った状態で水面から持ち上げられ、スクリーン２を最上位まで上昇させると、スクリーン２の抄網６がコンクリート側壁の上端面位置まで持ち上げられる。
この時、コンクリート側壁の上端面位置に掛け渡された塵集積板１５を前記抄網６の先端位置に設置しているので、スクリーン本体８に乗った塵芥をレーキ等の作業用具を使用して前記塵集積板１５上に掻き落すことができる。
また、川底を流下してきた空缶等は前記抄網６に乗って持ち上げられるので、前記塵集積板１５上に転がすように移動させることができる。
尚、掻取作業中、塵芥が落ち零れても抄網６で受け止められる。
【００１３】
このようにして捕捉された塵芥の取り除き作業が終了したら、巻上ハンドルのストッパーを解除して巻上ハンドルを逆回転させて同時にシャフト１２に固定された２個の巻取ドラム１１を逆回転して両側の巻上ワイヤー１３を緩め、両側のスクリーンガイド１に沿ってスクリーン２を下降させる。
川底に前記スクリーン２の前記抄網６が接地する最下位置までスクリーン２が下降したら、巻上ハンドルのストッパーを固定し、スクリーン２を用水路の捕捉位置に固定する。
なお、前記スクリーン２の捕捉位置で捕捉された塵芥により用水路の流水が堰き止められてダムのようになっても、スクリーン２上部のオーバーフロースクリーン７部分から流水がオーバーフローして下流に流下させることができる。
【図面の簡単な説明】
【００１４】
【図１】本発明の水路用除塵機の全体斜視図である。
【図２】本発明の水路用除塵機を捕捉位置に設置した場合の斜視図である。
【図３】本発明の水路用除塵機を取除位置に設置した場合の斜視図である。
【符号の説明】
【００１５】
１  スクリーンガイド
２  スクリーン
３  昇降機構
４  スクリーン枠組
５  スクリーンバー
６  抄網
７  オーバーフロースクリーン
８  スクリーン本体
９  巻上台プレート
１０  巻上台
１１  巻取ドラム
１２  シャフト
１３  巻上ワイヤー
１４  支持部材
１５  塵集積板
【図１】
0003717915.tif 000002
【図２】
0003717915.tif 000003
【図３】
0003717915.tif 000004